(57)【特許請求の範囲】
【請求項１】
管楽器の管内周面を清掃するための掃除具において、
前記管の内部に挿入可能な後端側が開放する袋状に形成したスワブと、このスワブの先端側に設けられたスワブガイドと、先端側がスワブガイドに取り付けられて他端側がスワブの後端側に延びる撓み変形可能な軸状部材とを備え、
前記スワブガイドは、前記軸状部材に対して変位可能に設けられていることを特徴とする管楽器用掃除具。
【請求項２】
前記スワブガイドは自在連結手段を介して前記軸状部材に取り付けられていることを特徴とする請求項１記載の管楽器用掃除具。
【請求項３】
前記スワブ内には前記軸状部材に沿う内側部材が設けられ、当該内側部材は、吸水、保水力を備えたインナーパッドにより構成されていることを特徴とする請求項１又は２記載の管楽器用掃除具。
【請求項４】
前記インナーパッドは、前記軸状部材の後端側に向かって次第に体積が小さくなる形状に設けられていることを特徴とする請求項３記載の管楽器用掃除具。
【請求項５】
前記軸状部材は、前記スワブガイドに着脱自在に設けられていることを特徴とする請求項１ないし４の何れかに記載の管楽器用掃除具。
【発明の詳細な説明】
【０００１】
【発明の属する技術分野】
本発明は、管楽器用掃除具に係り、更に詳しくは、管内に付着した水分等を拭き取ることができる管楽器用掃除具に関する。
【０００２】
【従来の技術】
従来より、サクソフォン等の管楽器は、その性質上、管内に水分が付着したり、溜まったりし易いため、これら水分等を拭き取りできる管楽器用掃除具が利用されている。この種の掃除具としては、一端側に錘を有する紐部材と、この紐部材の他端側に縫着される平面視方形や三角形状等をなす布製のスワブとを備えたものや、軸に弾性を持たせたブラシ状の類等が知られている。かかる掃除具を用いて管内の水分を拭き取る場合には、先ず、錘を管の一端側から挿入して他端側に出して管の他端側に引き出された紐部材を引っ張り、これにより、スワブを管の一端から他端に向かって通過させて管の内周面を拭き取りできるようになっている。
【０００３】
【発明が解決しようとする課題】
しかしながら、管楽器にあっては、管の曲がり部、内径変化部の内側、唾抜孔にベントチューブ等の突起や管の接合部等の段差が存在するため、紐部材を引っ張るときに、スワブが管の内部で引っ掛かり易くなるという不都合がある。しかも、このような引っ掛かりが生ずると、掃除具全体を管から抜き出すことに支障をきたしたり、或いは、部分的に拭き残し領域が発生して管内の水分を完全に拭き取ることができない場合を生ずる。加えて、前述した従来タイプの掃除具では、バリトンサクソフォン等のように、管が円錐型で変形スパイラル状に湾曲する領域を備えた管楽器には、効果的に利用することが困難になるという不都合もある。また、ブラシ状の押し込み式のものは、細径端側から挿入する場合に、径変化に追従することができない。
【０００４】
【発明の目的】
本発明は、このような不都合に着目して案出されたものであり、その目的は、管の内周面形状に応じて先端部を変位可能にしてスムースなる挿入、引き戻しを実現し、管の内径変化に対して細径端から挿入しても連続的に追従し、高い吸湿、清掃効果を発揮することのできる管楽器用掃除具を提供することにある。
【０００５】
【課題を解決するための手段】
前記目的を達成するため、本発明は、管楽器の管内周面を清掃するための掃除具において、
前記管の内部に挿入可能な後端側が開放する袋状に形成したスワブと、このスワブの先端側に設けられたスワブガイドと、先端側がスワブガイドに取り付けられて他端側がスワブの後端側に延びる撓み変形可能な軸状部材とを備え、
前記スワブガイドは、前記軸状部材に対して変位可能に設けられる、という構成を採っている。このような構成によれば、スワブガイドを先端位置として管内に押し込んだ際に、管の曲がりや内径変化、ベントチューブ等の突部や、管接合部の段差等が存在していても、これとの干渉を避けるようにスワブガイドが角度変位するようになり、軸状部材を押し込もうとする操作力がスワブガイドに確実に与えられるようになる。従って、スワブガイドに続くスワブによって管内の水分を確実に拭き取ることができる。
【０００６】
【発明の実施の形態】
本発明において、前記スワブガイドは自在連結手段を介して前記軸状部材に取り付けられる、という構成を採ることが好ましい。このような連結手段とすることで、スワブガイドの変位が無理なく行えるようになり、この点からもスワブの挿入容易性を一層良好に確保することができる。
【０００７】
また、前記スワブ内には前記軸状部材に沿う内側部材が設けられ、当該内側部材は、吸水、保水力を備えたインナーパッドにより構成される、という構成を採ることができる。この際、インナーパッドは、前記軸状部材の後端側に向かって次第に体積が小さくなるように設けることが好ましい。このような構成を採用した場合には、内側部材の外形に対応するようにスワブの外形が保たれるようになり、当該内側部材の存在下でスワブを管内面に圧接させることができる。しかも、内側部材は、後端に向かうに従って次第に体積を小さくしているので、管内への挿入と、反挿入方向への抜き出しの各操作を無理なく行うことができる。
【０００８】
更に、前記内側部材には、前記軸状部材を挿通可能な通路形成体を設けることができる。このような構成とすれば、軸状部材がスワブ内で一定の位置に保たれるようになり、軸状部材に加える押し込み力若しくは挿入力のロスを低減し、更に、スワブ全体の形状安定保持に働く背骨の役目をすることができる。
【０００９】
また、前記軸状部材は前記スワブガイドに対して着脱自在な構成とすることが好ましい。これにより、軸状部材の取り外しが可能となり、当該軸状部材を除くスワブ等を洗濯することが可能となる。
【００１０】
更に、前記スワブの後端側には紐状部材が導出され、この紐状部材には、前記軸状部材の後端部を受容可能なキャッチャーが設けられる、という構成を併せて採用するとよい。このような構成では、管内に挿入されたスワブを反挿入側に引き抜くときに、スワブガイドから軸状部材が不用意に抜け出してしまう虞を効果的に防止することができる。
【００１１】
また、前記スワブ内に紐状部材の一端側が固定され、当該紐状部材は、前記スワブの後端から外側に導出してループ状部を形成した状態で他端側がスワブ内に固定される、という構成を採ることができる。この際、紐状部材の前記一端側は、前記通路形成部材の後端領域に固定し、他端側は通路形成部材の反対側となるスワブ内面位置に固定することが好ましい。このような構成とすることで、前記ループ状部を取っ手として利用可能となり、当該ループ状部の内側に指を掛けてスワブをバランスよくスムースに引き戻すことが可能となる。
【００１２】
【実施例】
以下、本発明の実施例を図面を参照しながら説明する。
【００１３】
図１には、本実施例に係る管楽器用掃除具の概略斜視図が示され、図２には、その分解斜視図が示されている。これらの図において、管楽器用掃除具１０は、後端側（図１中右端側）が開放する袋状のスワブ１１と、このスワブ１１の先端側に設けられたスワブガイド１２と、スワブ１１内に配置されるとともに、先端側がスワブガイド１２に着脱自在に取り付けられる一方、後端側がスワブ１１の後端側に延びる撓み変形可能な軸状部材としてのワイヤ１３とを備えて構成されている。
【００１４】
前記スワブ１１は、吸水性、保水性に富む繊維からなるシートを筒状に縫製したものが用いられている。このスワブ１１は、図３に示されるように、先端側(同図中左端側)が内側に若干折り返された折り返し部１１Ａを備え、この折り返し部１１Ａ内にスワブガイド１２の基端側が挿入配置されている。スワブガイド１２は、折り返し部１１Ａを紐等からなる結合部材１４で締め付けられており、これにより、スワブガイド１２がスワブ１１の先端側に一体化されている。なお、折り返し部１１Ａの先端すなわち図３（Ｂ）中右端は口締め用の糸１５が設けられている。
【００１５】
前記スワブガイド１２は先端にコーン状部を備えた略銃弾状の外形に設けられている。このスワブガイド１２は、自在連結手段を構成する略球面状の軸受部２０が内部に形成されているとともに、当該軸受部２０に連なって後端側を開放部２１としたワイヤ差込口２２を備えた形状に設けられている。なお、スワブガイド１２の基端側外周部には、凹部１２Ａが形成されており、この凹部１２Ａにスワブ１１の先端側が食い込むようにして結合部材１４が掛け回され、これにより、スワブ１１とスワブガイド１２との一体化が強化されている。
【００１６】
前記軸状部材をなすワイヤ１３は、スワブ１１の長さよりも長い寸法に設けられている。特に限定されるものではないが、バリトンサクソフォンを基準とした本実施例におけるワイヤ１３は、その線径が約５ｍｍ、長さが約６００ｍｍのものが採用されている。このワイヤ１３は、例えば、その中央部を指先で摘んで持ち上げたときに、当該中央部位置に対して端部が約３ｃｍ程度下方位置を取るように緩やかな弓なりに撓む一方、両端を摘んで各端部を強制的に突き合わせて閉ループ状に変形させても、その強制力を解除したときに、元の直線状態に復元する程度の剛性と弾性とを合わせ持つものによって構成されている。このワイヤ１３は、ばね材巻線パイプ２４と、当該巻線パイプ２４の外側に設けられたカバーパイプ２５とからなる二重筒状のワイヤ本体２６と、このワイヤ本体２６の先端に取り付けられて前記軸受部２０と共に自在連結手段を構成する球状体２８と、ワイヤ本体２６の後端に設けられたキャップ２９とにより構成されている。なお、ワイヤ１３は、前記構成に限定されるものではなく、一本の線材の両端に球状部を一体に設けたシンプルな構造体等を採用することもできる。また、自在連結手段も前記軸受部２０及び球状体２８に限定されず、関節型等としてもよい。すなわち、スワブガイド１２がワイヤ１３に対して、いわゆる首振り状態となるような変位が可能であれば足りるものである。
【００１７】
前記ワイヤ１３は、スワブ１１内で内側部材としてのインナーパッド３０と共に縫い付けられた布製の通路形成体３１内に挿入されてスワブ１１内に位置するように設けられている。インナーパッド３０は、前記スワブ１１と同様に、吸水、保水性を備えた材料により構成されている。このインナーパッド３０は、無負荷状態で略平面状の外形をなし、外圧を付加したときに収縮する一方、その外圧を解除したときに初期形状に復帰する弾性を備えたパッド本体３２と、このパッド本体３２の一方の面側に縫い付けられた布製のパッドカバー３３とにより構成されている。インナーパッド３０は、図２に示されるように、通路形成体３１位置を中間にして対称的に位置する先端傾斜部３０Ａ，３０Ａと、これら先端傾斜部３０Ａ，３０Ａの外方端に連なるとともに、後端に向かって幅狭となる一対の側端部３０Ｂ，３０Ｂと、これら側端部３０Ｂ，３０Ｂの後端に連なる一対の後端傾斜部３０Ｃ，３０Ｃとにより構成され、平面視で、略破魔矢の羽根の平面形状に類似した形状を呈するようになっている。
【００１８】
前記通路形成体３１は、パイプ状に形成されている。この通路形成体３１は、インナーパッド３０の後端よりも後方に延びる長さを備えており、当該通路形成体３１の後部には、紐状部材３５の一端側がスワブ１１との間に位置する状態で縫い付けられている。
【００１９】
前記紐状部材３５は、特に限定されるものではないが、本実施例では、幅６ｍｍ程度の帯状部材からなり、図３に示されるように、一部がスワブ１１の後端から導出してループ状部３６を形成する状態で、他端側がスワブ１１の後端から先端近傍位置まで延びる長さに設けられている。この紐状部材３５は、前記ループ状部３６を除いてスワブ１１の内面側に全体的に縫い付けられている。この紐状部材３５において、前記ループ状部３６の領域には、袋状のワイヤキャッチャー３７が設けられており、当該ワイヤキャッチャー３７により前記ワイヤ１３の後端部を受容可能に設けられている。ワイヤキャッチャー３７の袋の底部位置は、ワイヤ１３の先端に設けられた球状体２８がスワブガイド１２の軸受部２０に受容されて直線状に延びた状態で、前記キャップ２９の後端に略一致する位置に設定され、これにより、ワイヤ１３が通路形成体３１を介して軸受部２０とワイヤキャッチャー３７との間に安定して保たれ、スワブ全体の一体性と形状安定を維持して意図しない脱落防止が図られるようになっている。
【００２０】
次に、本実施例に係る掃除具１０の使用方法について、図５をも参照しながら説明する。なお、図５は、バリトンサクソフォンの上部概略断面図を示すものであり、図示しないベルに沿う二番管Ａに三番管Ｂを介して四番管Ｃが接続されており、当該四番管Ｃの上部に吹き込み管（図示せず）が接続されるようになっている。ここで、符号４０，４１，４２はベントチューブを示し、符号４３は唾抜孔を示す。
【００２１】
管内の水分拭き取り作業を行う場合には、図５に示されるように、スワブガイド１２を先端にして四番管Ｃの上端開口部から挿入を行う。この挿入はスワブ１１を管体の開口部から約１０cm位の所を直接手で掴み、段階的に押し込むようにして行うことができる。この押し込みにより、スワブ１１は、インナーパッド３０が管内の大きさに応じて膨らんだ状態に保たれながら進行するため、管内面に対して圧力を付与しながら進むこととなり、管内面との間に生じ得る隙間を殆ど形成することがない。しかも管内径が小さくても、インナーパッド３０は、後端側に向かうに従って体積が小さくなっているため、挿入抵抗も軽減しながら押し込むことが可能となり、軽い操作感を伴って押し込み可能となる。
【００２２】
図５に示される楽器の部位にあっては、スワブ１１は後端が前記開口部付近に入ったところで挿入を止める。このとき、スワブ１１の先端は二番管Ａの上部まで達し、曲管部のクリーニング目的をクリアする。挿入限界までワイヤを挿入した後は、反挿入方向に向かって紐状部材３５のループ状部３６の内側に指を掛けて引き抜き力を付与すればよい。この際、ワイヤ１３は、軸受部２０とワイヤキャッチャー３７とを直線的に結ぶ距離若しくは寸法に略対応する長さであるため、ワイヤキャッチャー３７からワイヤ１３の後端が脱落してしまうことはなく、確実なる抜き出し力の付与が可能となる。なお、水分の付着状況により、続けて数回、スワブ１１を往復させてもよい。
【００２３】
【発明の効果】
以上説明したように、本発明によれば、スワブガイドが管楽器の管内周面形状に追従して先端部が変位可能となり、管内の突部等への引っ掛かりを防止しつつスムースなる挿入、引き戻しが可能となり、また、一方通行が困難な部位の掃除も不都合なく行うことができる管楽器用掃除具を提供することが可能となる。
【図面の簡単な説明】
【図１】  実施例に係る管楽器用掃除具の概略斜視図。
【図２】  前記管楽器掃除具の一部分解斜視図。
【図３】  （Ａ）は図１のＡ−Ａ線に沿う拡大断面図、（Ｂ）は図３（Ａ）のＣ部拡大断面図。
【図４】  図１のＢ−Ｂ線に沿う拡大断面図。
【図５】  前記管楽器用掃除具の使用状態を示す断面図。
【符号の説明】
１０…管楽器用掃除具、１１…スワブ、１２…スワブガイド、１３…ワイヤ（軸状部材）、２０…軸受部（自在連結手段）、２８…球状体、３０…インナーパッド（内側部材）、３１…通路形成体、３５…紐状部材
【図１】
0003714472.tif 000002
【図２】
0003714472.tif 000003
【図３】
0003714472.tif 000004
【図４】
0003714472.tif 000005
【図５】
0003714472.tif 000006